(57)【要約】【課題】            従来、ＩＣタグを搭載したラベル式の電子タグにあって、ＩＣタグの搭載箇所以外の余剰スペースを有効に利用し、かつ、商品管理機能以外に、購入者サイドにメリットを与えることができるというラベル式の電子タグは存在していなかったという点である。【解決手段】        ベース基材上に、少なくとも送受信アンテナと、その送受信アンテナと電気的に接続されたＩＣチップからなる非接触式ＩＣタグと、その非接触式ＩＣタグの搭載された残余の領域に情報が表記されたラベル式の電子タグにおいて、前記した情報は視認できる宣伝、広告であることとし、前記したベース基材の非接触式ＩＣタグが搭載された面はコーティングあるいは別途のフィルムでラミネートされていることとする。【選択図】          図１
2014164306.tif 000002
【特許請求の範囲】
【請求項１】
ベース基材上に、少なくとも送受信アンテナと、その送受信アンテナと電気的に接続されたＩＣチップからなる非接触式ＩＣタグと、その非接触式ＩＣタグの搭載された残余の領域に情報が表記されたラベル式の電子タグにおいて、前記した情報は視認できる宣伝、広告であることを特徴とするラベル式の電子タグ。
【請求項２】
前記したベース基材の非接触式ＩＣタグが搭載された面はコーティングあるいは別途のフィルムでラミネートされていることを特徴とする請求項１に記載のラベル式の電子タグ。
【請求項３】
前記した非接触式ＩＣタグに加え、軟磁性体と、複数の半硬質磁性の磁気式セグメントで構成された磁気式タグも搭載されていることを特徴とする請求項１または２に記載のラベル式の電子タグ。
【請求項４】
前記した非接触式ＩＣタグのＩＣチップの動作周波はＵＨＦ帯またはＨＦ帯（ＮＦＣ）であることを特徴とする請求項１から３のうち１項に記載のラベル式の電子タグ。
【請求項５】
前記したＩＣチップには動画広告が記憶されていることを特徴とする請求項１から４のうち１項に記載のラベル式の電子タグ。
【請求項６】
前記した宣伝、広告の情報はラミネートされたフィルムに印刷もしくは、そのラミネートされたフィルムを透明としてベース基材上の表記を透視可能としてあることを特徴とする請求項２から５のうち１項に記載のラベル式の電子タグ。
【請求項７】
前記したベース基材の裏面には貼着用の接着層が設けられていることを特徴とする請求項１から６のうち１項に記載のラベル式の電子タグ。
【発明の詳細な説明】
【技術分野】
【０００１】
本発明はラベル式の電子タグに関し、主として書店をはじめとする小売業種用として商品管理が行なえ、同時に広告媒体としての機能を兼ね備えたラベル式の電子タグに関する。
【背景技術】
【０００２】
近時、商品の販売や在庫、流通等を個別に管理するために、非接触式のＩＣを用いた電子タグを使用することが行なわれている。この電子タグは一般的には小さなスペースに隠蔽されるように、セットされるが、この電子タグをラベルあるいはステッカー等の一部として搭載し、商品の外面に貼着して使用することも考えられ、この場合、電子タグ搭載部分以外の余剰スペースにはバーコードや、事務的な文字列が表記されることとなり、貼付された商品の見栄えも良好とはいえないものとなってしまう。
【０００３】
また、従来のＩＣチップによる電子タグの場合、商品の個別管理という販売者サイドに寄った目的のみに使用され、購入者サイドにおける格別なメリットは存在していなかった。
【先行技術文献】
【特許文献】
【０００４】
【特許文献１】特開２０１２−６４０６７号公報
【発明の概要】
【発明が解決しようとする課題】
【０００５】
本発明が解決しようとする問題点は、従来、ＩＣタグを搭載したラベル式の電子タグにあって、ＩＣタグの搭載箇所以外の余剰スペースを有効に利用し、かつ、商品管理機能以外に、購入者サイドにメリットを与えることができるというラベル式の電子タグは存在していなかったという点である。
【０００６】
この点、特許文献１に示すものは、ＩＣチップに記憶される情報を可視光では視認不可の態様で印字するという内容のものであり、本願発明とは根本的に目的とするところが相違している。
【課題を解決するための手段】
【０００７】
この目的を達成するために、本願発明に係るラベル式の電子タグはベース基材上に、少なくとも送受信アンテナと、その送受信アンテナと電気的に接続されたＩＣチップからなる非接触式ＩＣタグと、その非接触式ＩＣタグの搭載された残余の領域に情報が表記されたラベル式の電子タグにおいて、前記した情報は視認できる宣伝、広告であることを特徴としている。
【０００８】
また、本発明に係るラベル式の電子タグは前記したベース基材の非接触式ＩＣタグが搭載された面はコーティングあるいは別途のフィルムでラミネートされていることを特徴とし、前記した非接触式ＩＣタグに加え、軟磁性体と、複数の半硬質磁性の磁気式セグメントで構成された磁気式タグも搭載されていることを特徴とし、前記した非接触式ＩＣタグのＩＣチップの動作周波はＵＨＦ帯またはＨＦ帯（ＮＦＣ）であることを特徴としている。
【０００９】
さらに、本発明に係るラベル式の電子タグは前記したＩＣチップには動画広告が記憶されていることを特徴とし、前記した宣伝、広告の情報はラミネートされたフィルムに印刷もしくは、そのラミネートされたフィルムを透明としてベース基材上の表記を透視可能としてあることを特徴とし、前記したベース基材の裏面には貼着用の接着層が設けられていることを特徴としている。
【発明の効果】
【００１０】
本発明に係るラベル式の電子タグは上記のように構成されている。そのため、ラベル式の電子タグにあって、従来、バーコード、その他の印字スペースを広告スペースとして有効に活用することができることとなる。
【００１１】
加えて、従来より電子タグの価格が商品、例えば書店にあっては廉価な書籍や雑誌等の価格、収益と見合わないため、広く普及しなかったが、この電子タグのコストを広告費に吸収させることで電子タグ自体の価格を抑え、広く店舗側へ普及させ、管理状況の向上を図ることができる。
【図面の簡単な説明】
【００１２】
【図１】本発明に係るラベル式の電子タグを雑誌に貼着した例を示す平面図である。
【図２】ラベル式の電子タグの一例を示す断面図である。
【図３】効用の例を示す図である。
【発明を実施するための形態】
【００１３】
図面として示し、実施例で説明したように構成したことで実現した。
【実施例１】
【００１４】
次に、本発明の好ましい実施の一例を図面を参照して使用対象商品を書籍や雑誌とした書店向けのものとして説明する。図中１は本発明を実施したラベル式の電子タグを示しており、この電子タグ１は平板状のベース基材２を有している。このベース基材２の裏面には接着剤層３が設けられており、対象となる書籍、雑誌Ｂの外表面に貼着して使用される。この接着剤層３の表面には使用前に剥離紙が備えられている。
【００１５】
前記したベース基材２の表面の一部には、外部機器と信号と送受信するアンテナ４と、その送受信アンテナ４と電気的に接続されたＩＣチップ５とより構成される非接触式のＩＣタグが搭載されている。このＩＣチップ５の動作周波数はＵＨＦ帯あるいはＨＦ帯のものが使用される。
【００１６】
また、ベース基材２の表面には、そのベース基材２とは別材のフィルム６がラミネートされている。このフィルム６によるラミネートは樹脂材によるコーティングとすることもできる。このフィルム６には前記したアンテナ４やＩＣチップ５と対応する部分以外のスペースには宣伝、広告の情報７がプリントされている。この情報７はベース基材２上にプリントし、その表面を透明なフィルム６でラミネートしたり、透明樹脂でコーティングし、視認することを可能としている。
【００１７】
さらに、フィルム６の表面に情報７をプリントする場合は、ベース基材２の表面全体を覆う全てのスペースに実施することもでき、このフィルム６をラミネートすることで、非接触式ＩＣタグの存在を隠蔽することも可能となる。
【００１８】
また、アンテナ４とＩＣチップ５の組合せによる非接触式のＩＣタグに加え、軟磁性体と複数の半硬質な磁性の磁気式セグメントで構成した磁気式タグも同時に搭載することも可能である。この磁気式タグを搭載することで、専用ゲートと対応させて、商品の不正持ち出しを検知することができる。
【００１９】
ここで、ＩＣチップ５をＵＨＦ帯のものとした場合、スタンド型の端末に該電子タグ１が貼付された商品（例えば雑誌等）を置くと、関連する動画広告が画面に表示される。書店側にとっても、従来と同様にハンディターミナルを使い、一括読み取りができ、販売をはじめとする商品管理ができる。
【００２０】
また、ＩＣチップ５としてＨＦ帯のものを使用した場合、ＮＦＣ（近距離無線通信技術）リーダーを搭載したスマートフォンを電子タグ１にかざすと、関連動画広告がスマートフォンの画面に表示されることとなる。但し、ＵＨＦ帯の場合と比し、電波の飛距離が１０ｃｍ程度のため、ハンディターミナルを使っての一括読み取りは難しくなる。
【００２１】
そして、上記した電子タグ１を書籍や雑誌に貼付しておくと、書籍を並べる棚のセンサーと連動して、対象書籍や雑誌が、何回顧客の手に取られ、戻されたかの頻度も管理チェックすることができることとなる。
【産業上の利用可能性】
【００２２】
本実施例に係る電子タグは上記のように構成されている。本実施例では使用対象を書籍、雑誌としたが、これに限定されるものではないことは当然であり、各種の小売業あるいは卸売業で、応用実施することができる。また、電子タグ１のサイズや形状は限定されるものではなく、適宜採択される。
【符号の説明】
【００２３】
１    電子タグ
２    ベース基材
３    接着剤層
４    アンテナ
５    ＩＣチップ
６    フィルム
７    情報
Ｂ    書籍，雑誌
【図１】
2014164306.tif 000003
【図２】
2014164306.tif 000004
【図３】
2014164306.tif 000005